【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出する可変表示手段に識別情報の可変表示の表示結果として予め定められた特定表示結果が導出されたときに、遊技者にとって有利な特定遊技状態に制御するとともに、前記特定表示結果のうちの予め定められた特別表示結果が導出されたときに、前記特定遊技状態の後に遊技者にとって有利な特別遊技状態に制御可能な遊技機であって、
未だ開始されていない識別情報の可変表示について、保留情報として記憶可能な保留記憶手段と、
識別情報の可変表示を開始するときに、当該識別情報の可変表示の表示結果を前記特定表示結果とするか否かを決定する開始時決定手段と、
前記開始時決定手段の決定結果に基づいて、識別情報の可変表示を実行する可変表示実行手段と、
前記特定表示結果となるか否かを前記開始時決定手段による決定前に判定する開始前判定手段と、
前記開始前判定手段による判定に基づいて、前記保留記憶手段に記憶されている前記保留情報に基づく識別情報の可変表示が実行される前の複数回の識別情報の可変表示に渡って、連続した予告演出を実行する予告演出実行手段と、
前記開始時決定手段の決定結果に基づいて、識別情報の可変表示の表示結果を示唆する示唆演出を実行する示唆演出実行手段と、を備え、
前記予告演出実行手段は、前記複数回の識別情報の可変表示において、第１予告演出を実行するパターンと、当該第１予告演出よりも前記特定表示結果となる割合が高い第２予告演出を実行するパターンと、前記第１予告演出を実行した後に前記第２予告演出を実行するパターンと、のいずれかのパターンにより前記予告演出を実行可能であるとともに、
前記示唆演出の演出態様は複数あり、
前記示唆演出実行手段は、前記示唆演出の演出態様に応じて、前記予告演出実行手段により前記第１予告演出を実行した後に前記第２予告演出を実行するパターンにより前記予告演出が実行される割合が異なるように、前記示唆演出を実行し、
前記予告演出実行手段は、
前記第１予告演出または前記第２予告演出として、前記複数回の識別情報の可変表示の表示結果を、前記特別表示結果を構成する識別情報からなる特別特殊結果と、前記特別表示結果を構成しない識別情報からなる非特別特殊結果とを含む複数種類の特殊結果のいずれかとする特殊結果演出を実行する特殊結果演出実行手段を含み、
前記特殊結果演出実行手段は、識別情報の可変表示の表示結果として前記特定表示結果のうちの前記特別表示結果とならない非特別表示結果が導出されるときに、前記複数回の識別情報の可変表示において前記特別特殊結果が導出されることを制限する、
ことを特徴とする遊技機。
【請求項２】
各々を識別可能な複数種類の識別情報の可変表示を行い表示結果を導出する可変表示手段に識別情報の可変表示の表示結果として予め定められた特定表示結果が導出されたときに、遊技者にとって有利な特定遊技状態に制御するとともに、前記特定表示結果のうちの予め定められた特別表示結果が導出されたときに、前記特定遊技状態の後に遊技者にとって有利な特別遊技状態に制御可能な遊技機であって、
識別情報の可変表示を開始するときに当該識別情報の可変表示の表示結果を前記特定表示結果とするか否かを決定する開始時決定手段と、
前記開始時決定手段の決定結果に基づいて、前記可変表示手段における識別情報の可変表示パターンを決定する可変表示パターン決定手段と、
前記可変表示パターン決定手段の決定結果に基づいて、識別情報の可変表示を実行する可変表示実行手段と、を備え、
前記可変表示パターンは、前記可変表示手段において識別情報の可変表示が開始されてから表示結果を導出する以前に仮停止させてから識別情報の可変表示を再開する再可変表示を所定回実行することに対応した再可変表示パターンを含み、
前記開始時決定手段の決定結果に基づいて、前記再可変表示パターンに基づく複数回の識別情報の可変表示に渡って、連続した予告演出を実行する予告演出実行手段と、
前記開始時決定手段の決定結果に基づいて、識別情報の可変表示の表示結果を示唆する示唆演出を実行する示唆演出実行手段と、を備え、
前記予告演出実行手段は、前記複数回の識別情報の可変表示において、第１予告演出を実行するパターンと、当該第１予告演出よりも前記特定表示結果となる割合が高い第２予告演出を実行するパターンと、前記第１予告演出を実行した後に前記第２予告演出を実行するパターンと、のいずれかのパターンにより前記予告演出を実行可能であるとともに、
前記示唆演出の演出態様は複数あり、
前記示唆演出実行手段は、前記示唆演出の演出態様に応じて、前記予告演出実行手段により前記第１予告演出を実行した後に前記第２予告演出を実行するパターンにより前記予告演出が実行される割合が異なるように、前記示唆演出を実行し、
前記予告演出実行手段は、
前記第１予告演出または前記第２予告演出として、前記再可変表示パターンに基づく前記複数回の識別情報の可変表示の仮停止を、前記特別表示結果を構成する識別情報からなる特別特殊態様と、前記特別表示結果を構成しない識別情報からなる非特別特殊態様とを含む複数種類の特殊態様のいずれかにより実行する特殊態様演出実行手段を含み、
前記特殊態様演出実行手段は、識別情報の可変表示の表示結果として前記特定表示結果のうちの前記特別表示結果とならない非特別表示結果が導出されるときに、前記再可変表示パターンに基づく前記複数回の識別情報の可変表示において前記特別特殊態様により仮停止されることを制限する、
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、
（１）各々を識別可能な複数種類の識別情報の可変表示を行い表示結果を導出する可変表示手段（例えば第１、第２特別図柄表示装置４Ａ、４Ｂや画像表示装置５など）に識別情報の可変表示の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御するとともに、前記特定表示結果のうちの予め定められた特別表示結果（例えば確変大当り組合せとなる確定飾り図柄などなど）が導出されたときに、前記特定遊技状態の後に遊技者にとって有利な特別遊技状態（例えば確率変動制御など）に制御可能な遊技機（例えばパチンコ遊技機１など）であって、未だ開始されていない識別情報の可変表示について、保留情報として記憶可能な保留記憶手段（例えば第１、第２特図保留記憶部１５１Ａ、１５１Ｂなど）と、識別情報の可変表示を開始するときに、当該識別情報の可変表示の表示結果を前記特定表示結果とするか否かを決定する開始時決定手段（例えばステップＳ２４０の処理を実行するＣＰＵ１０３など）と、前記開始時決定手段の決定結果に基づいて、識別情報の可変表示を実行する可変表示実行手段（例えばステップＳ２４０の処理を実行した後、ステップＳ１１２、Ｓ１１３の処理を実行するＣＰＵ１０３など）と、前記特定表示結果となるか否かを前記開始時決定手段による決定前に判定する開始前判定手段（例えばステップＳ２１２の入賞時乱数値判定処理を実行するＣＰＵ１０３など）と、前記開始前判定手段による判定に基づいて、前記保留記憶手段に記憶されている前記保留情報に基づく識別情報の可変表示が実行される前の複数回の識別情報の可変表示に渡って、連続した予告演出を実行する予告演出実行手段（例えばステップＳ７１０の処理に基づきステップＳ６０３の処理を実行する演出制御用ＣＰＵ１２０など）と、前記開始時決定手段の決定結果に基づいて、識別情報の可変表示の表示結果を示唆する示唆演出（例えば変動中予告演出など）を実行する示唆演出実行手段（例えばステップＳ５２９の処理に基づきステップＳ１７２の処理を実行する演出制御用ＣＰＵ１２０など）と、を備え、前記予告演出実行手段は、前記複数回の識別情報の可変表示において、第１予告演出を実行するパターン（例えば先読み予告パターンＳＹＰ１−１やＳＹＰ１−２など）と、当該第１予告演出よりも前記特定表示結果となる割合が高い第２予告演出を実行するパターン（例えば先読み予告パターンＳＹＰ２−１など）と、前記第１予告演出を実行した後に前記第２予告演出を実行するパターン（例えば先読み予告パターンＳＹＰ３−１など）と、のいずれかのパターンにより前記予告演出を実行可能であるとともに、前記示唆演出の演出態様は複数（例えば「予告Ｘ」、「予告Ｙ」、「予告Ｚ」など）あり、前記示唆演出実行手段は、前記示唆演出の演出態様に応じて、前記予告演出実行手段により前記第１予告演出を実行した後に前記第２予告演出を実行するパターンにより前記予告演出が実行される割合が異なるように、前記示唆演出を実行（例えば先読み予告パターンＳＹＰ３−１である場合には、「予告Ｙ」の変動中予告パターンにのみ決定可能である）し、前記予告演出実行手段は、前記第１予告演出または前記第２予告演出として、前記複数回の識別情報の可変表示の表示結果を、前記特別表示結果を構成する識別情報からなる特別特殊結果（例えばチャンス目ＣＡ１、ＣＡ３、ＣＡ５、ＣＡ７など）と、前記特別表示結果を構成しない識別情報からなる非特別特殊結果（例えばチャンス目ＣＡ２、ＣＡ４、ＣＡ６、ＣＡ８など）とを含む複数種類の特殊結果のいずれかとする特殊結果演出を実行する特殊結果演出実行手段を含み、前記特殊結果演出実行手段は、識別情報の可変表示の表示結果として前記特定表示結果のうちの前記特別表示結果とならない非特別表示結果が導出されるときに、前記複数回の識別情報の可変表示において前記特別特殊結果が導出されることを制限することを特徴とする。
このような構成によれば、第１予告演出が開始された場合でも、示唆演出の演出態様によって第２予告演出に移行することへの期待感を抱かせることができ、遊技の興趣が向上する。
【手続補正３】
【補正対象書類名】明細書
【補正対象項目名】０００８
【補正方法】変更
【補正の内容】
【０００８】
また、上記目的を達成するため、本発明の他の遊技機は、
（２）各々を識別可能な複数種類の識別情報の可変表示を行い表示結果を導出する可変表示手段（例えば第１、第２特別図柄表示装置４Ａ、４Ｂや画像表示装置５など）に識別情報の可変表示の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御するとともに、前記特定表示結果のうちの予め定められた特別表示結果（例えば確変大当り組合せとなる確定飾り図柄などなど）が導出されたときに、前記特定遊技状態の後に遊技者にとって有利な特別遊技状態（例えば確率変動制御など）に制御可能な遊技機（例えばパチンコ遊技機１など）であって、識別情報の可変表示を開始するときに当該識別情報の可変表示の表示結果を前記特定表示結果とするか否かを決定する開始時決定手段（例えばステップＳ２４０の処理を実行するＣＰＵ１０３など）と、前記開始時決定手段の決定結果に基づいて、前記可変表示手段における識別情報の可変表示パターンを決定する可変表示パターン決定手段（例えばステップＳ１１１の処理を実行するＣＰＵ１０３など）と、前記可変表示パターン決定手段の決定結果に基づいて、識別情報の可変表示を実行する可変表示実行手段（例えばステップＳ１１１の処理を実行した後、ステップＳ１１２、Ｓ１１３の処理を実行するＣＰＵ１０３など）と、を備え、前記可変表示パターンは、前記可変表示手段において識別情報の可変表示が開始されてから表示結果を導出する以前に仮停止させてから識別情報の可変表示を再開する再可変表示を所定回実行することに対応した再可変表示パターン（例えば、図３４に示す変動パターンＰＡ３−１、ＰＡ４−１〜ＰＡ４−４、ＰＢ３−１〜ＰＢ３−４）を含み、前記開始時決定手段の決定結果に基づいて、前記再可変表示パターンに基づく複数回の識別情報の可変表示に渡って、連続した予告演出を実行する予告演出実行手段（例えばステップＳ６１２の処理に基づきステップＳ１７２の処理を実行する演出制御用ＣＰＵ１２０など）と、前記開始時決定手段の決定結果に基づいて、識別情報の可変表示の表示結果を示唆する示唆演出（例えば変動中予告演出など）を実行する示唆演出実行手段（例えばステップＳ５２９の処理に基づきステップＳ１７２の処理を実行する演出制御用ＣＰＵ１２０など）と、を備え、前記予告演出実行手段は、前記複数回の識別情報の可変表示において、第１予告演出を実行するパターン（例えば擬似連予告パターンＹＰ１−１やＹＰ１−２など）と、当該第１予告演出よりも前記特定表示結果となる割合が高い第２予告演出を実行するパターン（例えば擬似連予告パターンＹＰ２−１など）と、前記第１予告演出を実行した後に前記第２予告演出を実行するパターン（例えば擬似連予告パターンＹＰ３−１など）と、のいずれかのパターンにより前記予告演出を実行可能であるとともに、前記示唆演出の演出態様は複数（例えば「予告Ｘ」、「予告Ｙ」、「予告Ｚ」など）あり、前記示唆演出実行手段は、前記示唆演出の演出態様に応じて、前記予告演出実行手段により前記第１予告演出を実行した後に前記第２予告演出を実行するパターンにより前記予告演出が実行される割合が異なるように、前記示唆演出を実行（例えば擬似連予告パターンＹＰ３−１である場合には、「予告Ｙ」の変動中予告パターンにのみ決定可能である）し、前記予告演出実行手段は、前記第１予告演出または前記第２予告演出として、前記再可変表示パターンに基づく前記複数回の識別情報の可変表示の仮停止を、前記特別表示結果を構成する識別情報からなる特別特殊態様（例えばチャンス目ＣＡ１、ＣＡ３、ＣＡ５、ＣＡ７など）と、記特別表示結果を構成しない識別情報からなる非特別特殊態様（例えばチャンス目ＣＡ２、ＣＡ４、ＣＡ６、ＣＡ８など）とを含む複数種類の特殊態様のいずれかにより実行する特殊態様演出実行手段を含み、前記特殊態様演出実行手段は、識別情報の可変表示の表示結果として前記特定表示結果のうちの前記特別表示結果とならない非特別表示結果が導出されるときに、前記再可変表示パターンに基づく前記複数回の識別情報の可変表示において前記特別特殊態様により仮停止されることを制限する、ことを特徴とする。
このような構成によれば、第１予告演出が開始された場合でも、示唆演出の演出態様によって第２予告演出に移行することへの期待感を抱かせることができ、遊技の興趣が向上する。